(57)【特許請求の範囲】
【請求項１】
軸筒先端の開口後部の軸筒内部に筒状突出部を設け、塗布体または塗布体を保持した塗布体ホルダーを、前記筒状突出部内部に設けた取付部に止着し、軸筒の外面にはキャップ装着時に気密室を形成するためのシール部と、キャップを軸筒に着脱自在に装着し得る装着部を設けてなる塗布具であって、
前記取付部箇所をシール部箇所に対して軸後方向に異ならせ、かつ、前記装着部箇所を前記取付部箇所に対して軸後方向に異ならせたことを特徴とする塗布具。
【請求項２】
筒状突出部と軸筒内面との間に複数のリブを設けて、該リブを介して該筒状突出部を軸筒内面で支持することを特徴とする請求項１に記載の塗布具。
【発明の詳細な説明】
【０００１】
【発明の属する技術分野】
本発明は、ペン先などの塗布体または塗布体を保持した塗布体ホルダーを軸筒先端の開口の取り付け部に止着し、軸筒の外面にはキャップ装着時に気密室を形成するためのシール部と、キャップを軸筒に着脱自在に装着し得る装着部を設けてなる塗布具に関する。
【０００２】
【従来の技術】
一般に、ペン先またはペン先を保持したペン先ホルダーを軸筒先端の開口の取付部に止着し、軸筒の外面には、キャップ装着時に気密室を形成するためのシール部と、キャップを軸筒に着脱自在に装着し得る装着部を設けてなる筆記具においては、ペン先素材として繊維製、樹脂製、さらにボールペンのチップに代表される金属製のものなど多様のものが用いられている。
【０００３】
このような筆記具においては、ペン先またはペン先ホルダーを軸筒に止着するにあたって、ほとんどの場合、ペン先またはペン先ホルダーを軸筒内に圧入する方式が採用されている。また、この軸筒外面に装着されるキャップは凹凸嵌合もしくは、ねじ込みにより着脱自在に装着される。さらに、ペン先の乾燥や、インクの揮発を防止する目的の気密室をキャップ内面と軸筒外面とで形成するために、樹脂同士の弾性を利用し、キャップのシールリブを軸筒に密着させている。
【０００４】
一般的筆記具においては、ペン先の乾燥防止やインクの揮発防止に有利なように、前記形成される気密室の空間容積を極力小さくするものであるが、そのためには、キャップのシールリブの、軸筒外面への密着箇所を、軸筒の端部に近づけることとなる。
【０００５】
【発明が解決しようとする課題】
ところで、前記従来構造の筆記具では、ペン先またはペン先ホルダーの軸筒先端開口における取付部の箇所と、軸筒外面におけるキャップのシールリブの密着箇所とが、軸方向において同一位置になるものがある。すなわち、前記のふたつの箇所が上下に重なりあう位置関係にある。
【０００６】
ペン先あるいはペン先ホルダーの、軸筒への圧入部分の外径寸法は、圧入後の圧入部の気密性保持、抜け防止のために、軸筒の被圧入の内径寸法よりも若干（約３％）大きめに設定されている。しかしながら、いざ圧入を試みた際に、圧入部のすぐ外側である軸筒の外径寸法は、圧入の影響で圧入前の外径寸法よりも、やはり若干大きくなってしまう。
【０００７】
さらに、ペン、ペン先ホルダーおよび軸筒などの部材は設計上、許容寸法公差を設定しているため、各部材がその公差内で寸法がばらついたとき、圧入後の軸筒外径寸法は、さらに大きくなり、ばらつく。圧入後で大きくなった軸筒外径部が、キャップとのシール部と重なっていれば、ばらつきはさらに大きくなる。
【０００８】
つまり、圧入前の軸筒の寸法ばらつき、あるいは、圧入するペン先やペン先ホルダーの寸法ばらつきにより、圧入後の軸筒外径寸法が大きくなり、圧入前よりばらつきが増幅されてしまうものである。
【０００９】
そこで、軸筒とキャップシール部の密着を考えた場合、キャップのシールリブの内径寸法の設定が最も重要であるが、前記のように部材圧入後の軸筒外径のシール部寸法のばらつきが増幅されているので、それに合わせたシールリブ内径寸法を設定する作業に非常に苦労していた。
【００１０】
内径寸法設定値によっては、シールリブの密着の度合いが弱いため、気密性が悪かったり、密着の度合いが強すぎると、キャップ脱着力が強くなったり、シールリブ部分の割れが発生するなどの弊害が出ていた。
【００１１】
なお、本発明に関連して、実公平７−７１９３号公報が開示されている。この公報の第１図に記載される筆記具において、軸筒先端小径部（１ａ）の開口内面には、装着部（１ｂ）よりも軸方向において後方位置となるようにペン先ホルダー（３）を止着するための取付部（１ｃ）が軸心に向かって周状に突設形成されている。また、キャップ内面には前記装着部（１ｂ）との装着性を良好にするためのリブ（２ａ）が周状に突設されており、また、このリブ（２ａ）よりも内奥に設けられたリブ（２ｂ）でキャップのエアータイト性を向上させようとしている。
【００１２】
しかしながら、筆記具において、ペン先の気密室のシール性を向上させるには、シール部を軸方向に長く取る必要があるが、前記公報の筆記具ではリブの取付け位置を軸方向に長くしようとしても装着部が邪魔になって、結局、十分なシール性が得られない。また、装着部をなくすと、軸筒に取り付けたキャップにがたつきが生じるなどの問題点がある。
【００１３】
本発明は、前記従来の問題点を解消するべくなされたものであって、簡単な構造で、塗布体および塗布体ホルダーの圧入によってもシール部の寸法変化を少なくでき、キャップと軸筒の脱着力および気密性を安定させることができ、さらに、軸方向に長くシール部を設けてもキャップのがたつきが生じることを防止できる塗布具を提供することを課題とする。
【００１４】
【課題を解決するための手段】
本発明は、前記課題を解決するため次の構成を有する。
請求項１の発明は、軸筒先端の開口後部の軸筒内部に筒状突出部を設け、塗布体または塗布体を保持した塗布体ホルダーを、前記筒状突出部内部に設けた取付部に止着し、軸筒の外面にはキャップ装着時に気密室を形成するためのシール部と、キャップを軸筒に着脱自在に装着し得る装着部を設けてなる塗布具であって、前記取付部箇所をシール部箇所に対して軸後方向に異ならせ、かつ、前記装着部箇所を前記取付部箇所に対して軸後方向に異ならせたことを特徴とする塗布具である。
【００１５】
請求項１の発明においては、取付部箇所をシール部箇所に対して軸後方向に異ならせるので、塗布体または塗布体ホルダーを取付部に圧入して軸筒外径部が大きくなってもシール部の外径は大きくならない。
また、前記装着部箇所を前記取付部の箇所に対して軸後方向に異ならせたので、シール部を装着部に邪魔されずに前記取付部箇所近くまで形成できる。
【００１６】
また、請求項１の発明は、塗布体または塗布体ホルダーの取り付け部を、軸筒内部に設けた筒状突出部内部に設けたことを特徴とする塗布具である。
【００１７】
請求項１の発明においては、塗布体または塗布体ホルダーを筒状突出部に圧入して、取付部のある筒状突出部の外径が大きくなっても、軸筒の外径は大きくならない。
【００１８】
請求項２の発明は、筒状突出部と軸筒内面との間に複数のリブを設けて、該リブを介して該筒状突出部を軸筒内面で支持することを特徴とする請求項１に記載の塗布具である。
【００１９】
請求項２の発明においては、取付部のある筒状突出部は複数のリブを介して軸筒内面で支持される。
【００２０】
【発明の実施の形態】
以下、図面を参照して本発明の好適な実施の形態を詳細に説明する。
図１は本発明の第１の実施形態に係る筆記具を説明する要部断面図である。
図１に示すように、この筆記具は、ぺン先１またはペン先１を保持したペン先ホルダー２を軸筒３先端の開口の取付部４に止着し、軸筒３の外面にはキャップ５装着時に気密室６を形成するためのシール部７と、キャップ５を軸筒３に着脱自在に装着し得る装着部８を設けてなるものであって、前記取付部４箇所をシール部７箇所に対して軸筒３中心９に沿って後ろ方向に異ならせ、かつ、前記装着部８箇所を前記取付部４の箇所に対して前記中心９に沿って後ろ方向に異ならせたものである。
【００２１】
すなわち、樹脂により形成された軸筒３の先端には、該軸筒３の基部より若干細径の先端大径部３ａ（基部と共に大径部３ａの内側がインキ室１２になっている）と、該大径部３ａの先端のテーパー状に先細りなった部分（先端大径部３ａと先端小径部３ｂとがテーパー状につながる部分３ｃ）を介して繋がっていて該大径部３ａよりさらに細径の先端小径部３ｂとが形成されている。
【００２２】
前記軸筒３の先端大径部３ａの外面には、樹脂により形成されたキャップ５を着脱自在に装着するための装着部８が周状（全体的あるいは部分的のいずれでもよい）に突出しており、装着部８はキャップ５内周面の突出部５ａに係合してキャップ５を軸筒３に係止している。また、前記軸筒３の先端小径部３ｂには、キャップ５装着時に気密室６を形成するために、キャップ５先端側内周面に周上に突設されたシールリブ１０が密着するシール部７が存在している。
【００２３】
また、この先端小径部３ｂの開口内面には、前記シール部７よりも軸方向において後方位置になるよう、ペン先ホルダー２を止着するための取付部４が、軸筒中心９に沿って後方にかつ軸筒先端大径部３ａ内に筒状に突出した筒状突出部に形成されている。該取付部４は、前記軸筒小径部３ｂと比較して、いずれの内径は同径であって、また、外径は互いにほぼ同径であるが、これは互いに適宜に設計できる。
【００２４】
金属製などのペン先１は、中空の筒状になっていて、筆記に適した形状を呈する。またペン先ホルダー２は、先端の傘状に広がった筒状体であって、ペン先ホルダー２はその内面の内壁にて前記ペン先１を強固に密着圧入保持している。そのペン先ホルダー２には、軸筒３の先端小径部３ｂの開口内面の取付部４に止着するための山部１１が該ホルダー２の外面に周状に２箇所突設されている。この山部１１が前記軸筒３先端小径部３ｂの開口内面の取付部４において強固に密着圧入されて、ペン先ホルダー２が軸筒３の先端に保持される。
山部１１の詳細な外観形状は、図３、図４に示すペン先ホルダー２に形成されたものと同一である。
【００２５】
この場合、ペン先ホルダー２の外面と先端小径部３ｂの内面には、それらの設定寸法によって、隙間が生じることもあるが、取付部４において強固に密着圧入保持しているので、気密性が悪くなったり抜けが生じる問題がない。
【００２６】
また、ペン先１は、その後端開口部１ａが軸筒３内のインキ室１２とペン先ホルダー２を中継して連通し、筆記作業によるインキ消費に伴って、インキ室１２からペン先１へインキの供給が行われる。
【００２７】
キャップ５の内奥に設けられたシールリブ１０は、キャップ５の装着時に樹脂の弾性を利用してシール部７と密着させ気密室６の完全気密性を実現し、ペン先１の乾燥防止やインキの揮発防止を図る。
【００２８】
そして、ペン先のホルダー２の取付部４はシール部７に対して軸後方に異なって位置に存在している。
【００２９】
したがって、上記構成よりなる筆記具においては、組み立て時、軸筒３の取付部４へペン先ホルダー２を圧入するわけであるが、圧入前の軸筒３シール部７の寸法や寸法のばらつきが、圧入するペン先ホルダー２の影響で大きくなったりばらつきが増幅されることがない。
【００３０】
ここで、キャップ５のシールリブ１０を軸筒３のシール部７に密着させることを考えた場合に、該シールリブ１０の内径寸法の設定が最も重要であるが、ペン先ホルダー２圧入後のシール部７の寸法が圧入前とほぼ変化しないため、そのシール部７に合わせて行うシールリブ１０内径寸法の設定作業は容易になり、また、気密室６の完全気密性と安定したキャップ５の脱着力も保てる。
また、装着部８箇所を前記取付部４箇所より後ろ方向に異らせてあるので、軸方向に長くシール部７を設けてもキャップ５にがたつきが生じることを防止できる。
【００３１】
次に、本発明の第２の実施形態について説明する。
図２は、第２実施形態に係る筆記具の要部断面図である。図１と同様に部分には同一の符号を付している。
図２に示すように、この筆記具では、前記第１の実施形態と概略同様の形状であって、筒状の突出部に形成された取付部４の外周面と軸筒３（先端大径部３ａと先端小径部３ｂとがテーパー状につながる部分３ｃ）の内面との間に複数のリブ１３を設けて、該リブ１３を介して取付部４を軸筒３内面で支持するものである。
【００３２】
該リブ１３は、ほぼ平板形状を呈し、軸筒３中心９に沿いかつ該中心９から放射状になるように配列される。
なお、リブ１３は板状の他、棒状であってもよい。
【００３３】
第１の実施形態および第２の実施形態の筆記具において、ペン先ホルダー２外周面と先端小径部３ｂとの間に隙間（図１に符号δで示す）が生じた際に、筆記時のペン先ホルダー２のがたつきを防止するため、ペン先ホルダー２の外周面に、図３に示すように、軸方向に沿った縦リブ１４を１または２以上形成したり、図４に示すように、段部１５を形成してもよい。これら縦リブ１４と段部１５はその外周径がペン先ホルダー２の内周径の同径近くに形成する。
【００３４】
ただ、縦リブ１４と段部１５の外周径（外接寸法）は、先端小径部３ｂの内周径より大きくしない。これは、ペン先ホルダー２の拡大を防止して、ペン先ホルダー２のシールリブ１０が広がってしまうのを防止するためである。
【００３５】
なお、前記実施の形態では、先端にペン先を備えた筆記具を例示したが、本発明はこれに限定されず、修正液や化粧料を塗布する塗布体を備えた塗布具にも同様に実施できるものである。
【００３６】
【発明の効果】
以上説明した通り請求項１の発明によれば、簡単な構造で、塗布体および塗布体ホルダーの圧入によってもシール部の寸法変化を少なくでき、キャップと軸筒の脱着力および気密性を安定させることができ、さらに、軸方向に長くシール部を設けてもキャップのがたつきが生じることを防止できる。
また、請求項１の発明によれば、取付部のある筒状突出部の外径が大きくなっても軸筒の外径は大きくならない。
また、請求項２の発明によれば、取付部のある筒状突出部は複数のリブを介して軸筒内面で支持されるので、取付部の強度が増し、塗布体および塗布体ホルダーの支持力が向上する。
【図面の簡単な説明】
【図１】本発明の第１の実施形態に係る筆記具を説明する要部断面図である。
【図２】本発明の第２の実施形態に係る筆記具を説明する要部断面図である。
【図３】第１、第２の実施形態のペン先ホルダーの一つの変形例の外観説明図である。
【図４】第１、第２の実施形態のペン先ホルダーの他の変形例の外観説明図である。
【符号の説明】
１  ペン先
２  ペン先ホルダー
３  軸筒
４  取付部
５  キャップ
６  気密室
７  シール部
８  装着部
９  軸筒中心
１０  シールリブ
１１  山部
１２  インキ室
１３  リブ
１４  縦リブ
１５  段部
【図１】
0003614212.tif 000002
【図２】
0003614212.tif 000003
【図３】
0003614212.tif 000004
【図４】
0003614212.tif 000005